(57)【要約】【課題】  長期荷重をデッキプレートに負担させるとともに、火災時にはスラブ下筋が荷重を負担して所定の耐火性能が発揮できる二方向スラブを提供することである。【解決手段】  梁２、６間に連続的に敷設されたデッキプレート３の上にコンクリート４が打設されて形成された４辺で支持される二方向スラブ１において、スラブ下筋７が短辺方向または長辺方向に沿って配筋され、該スラブ下筋７と直交した方向にデッキプレート３が連続して敷設されている。【選択図】図１
2005325521.tif 000002
【特許請求の範囲】
【請求項１】
梁間に連続的に敷設されたデッキプレートの上にコンクリートが打設されて形成された４辺で支持される二方向スラブにおいて、スラブ下筋が短辺方向または長辺方向に沿って配筋され、該スラブ下筋と直交した方向にデッキプレートが連続して敷設されたことを特徴とする二方向スラブ。
【請求項２】
長期荷重時のたわみに対しては、デッキプレートとスラブ下筋とが分担し、火災時には、専らスラブ下筋が荷重を負担して、所定の耐火性能が発揮できるように設計されたことを特徴とする請求項１に記載の二方向スラブ。
【請求項３】
デッキプレートは補強リブを上側にして敷設され、該補強リブに密接または近接してスラブ下筋が配筋されたことを特徴とする請求項１または２に記載の二方向スラブ。
【請求項４】
補強リブは、２５ｍｍ〜５０ｍｍの高さであることを特徴とする請求項１〜３のいずれかに記載の二方向スラブ。
【請求項５】
補強リブの横幅は、下側に５０ｍｍ〜１００ｍｍの野縁受設置用スペースを開口した大きさであることを特徴とする請求項１〜４のいずれかに記載の二方向スラブ。
【請求項６】
補強リブは、２００ｍｍ間隔で形成されたことを特徴とする請求項１〜５のいずれかに記載の二方向スラブ。
【請求項７】
補強リブには２５ｍｍ、５０ｍｍ、１００ｍｍ、２００ｍｍのいずれかの間隔で鉄筋の配置目印が設けられたことを特徴とする請求項１〜６のいずれかに記載の二方向スラブ。
【請求項８】
デッキプレートの下面には、軽量鉄骨下地材により天井ボードが張り付けられたことを特徴とする請求項１〜７のいずれかに記載の二方向スラブ。
【発明の詳細な説明】
【技術分野】
【０００１】
本発明は二方向スラブに関するものである。
【背景技術】
【０００２】
一般にマンションなどの集合住宅の床は、在来工法またはプレキャスト工法で構築されている。この在来工法は、いわゆるコンパネなどを用いて構築されているのに対して、プレキャスト工法はハーフプレキャストコンクリート板、いわゆるＰＣａ板を用いて構築されている。しかし、前者はコンパネや根太の設置および撤去に手間がかかり、後者は大型重機の設置が必要であるなどの問題があった。そこでデッキプレートを使用した床が構築されているが、これはデッキプレートをスパン方向に沿って設置した一方向スラブか、あるいはデッキプレートを仮設の底型枠扱いにしたフラットデッキスラブなどであった。また、この他の床としては、例えば特開２０００−１４４９９６号公報の発明がある。
【特許文献１】特開２０００−１４４９９６号公報
【発明の開示】
【発明が解決しようとする課題】
【０００３】
しかし、上記の一方向スラブでは、スラブの受ける荷重を一方向で受けるため、デッキプレートの厚さを大きくするか、あるいはスパンの大きさを制約する必要があった。また仮設のデッキプレートは、耐火性能が無いので、このデッキプレート自体の剛性をスラブの構造設計（たわみ計算）に勘案できないため、スラブ筋が節約できないという問題があった。
【０００４】
本発明は上記のような問題に鑑みてなされたものであり、その目的は、長期荷重をデッキプレートに負担させるとともに、火災時にはスラブ下筋が荷重を負担して所定の耐火性能が発揮できる二方向スラブを提供することである。
【課題を解決するための手段】
【０００５】
本発明の二方向スラブは、梁間に連続的に敷設されたデッキプレートの上にコンクリートが打設されて形成された４辺で支持される二方向スラブにおいて、スラブ下筋が短辺方向または長辺方向に沿って配筋され、該スラブ下筋と直交した方向にデッキプレートが連続して敷設されたことを特徴とする。また長期荷重時のたわみに対しては、デッキプレートとスラブ下筋とが分担し、火災時には、専らスラブ下筋が荷重を負担して、所定の耐火性能が発揮できるように設計されたことを含む。またデッキプレートは補強リブを上側にして敷設され、該補強リブに密接または近接してスラブ下筋が配筋されたことを含む。また補強リブは、２５ｍｍ〜５０ｍｍの高さであることを含む。また補強リブの横幅は、下側に５０ｍｍ〜１００ｍｍの野縁受設置用スペースを開口した大きさであることを含む。また補強リブは、２００ｍｍ間隔で形成されたことを含む。また補強リブには２５ｍｍ、５０ｍｍ、１００ｍｍ、２００ｍｍのいずれかの間隔で鉄筋の配置目印が設けられたことを含む。またデッキプレートの下面には軽量鉄骨下地材により天井ボードが張り付けられたことを含むものである。
【発明の効果】
【０００６】
二方向スラブとしたことにより、床荷重を二方向に分散できるので、それぞれの断面量を節約することができる。また野縁受設置用スペースに野縁受けを設置することにより、スラブの下面と天井下地とを縮めることができるので、よりコンパクトな天井仕上げとなって天井高さを大きく確保することができる。またデッキプレートが根太分の剛性を持つことにより、スラブ下に大引きを９００ｍｍ間隔で施工できるので、設置と撤去の手間が省略できる。
【発明を実施するための最良の形態】
【０００７】
以下、本発明の二方向スラブの実施の形態について説明する。この二方向スラブはマンションなどの集合住宅に構築されるものである。
【０００８】
図１および図２は、第１の実施の形態の二方向スラブ１を示したものである。この二方向スラブ１は、一対の短尺梁２間に連続して敷設されたデッキプレート３上にコンクリート４が打設されて構築されている。このデッキプレート３は補強リブ５を長尺梁６に沿った方向に向けて敷設され、この補強リブ５の上に、これと直交したスラブ下筋７が配筋されている。したがって、スラブ下筋は短尺梁に沿った方向、すなわち長尺梁と直交した方向に配筋されている。また、この配筋は、補強リブ５に２５ｍｍ、５０ｍｍ、１００ｍｍ、２００ｍｍのいずれかの間隔で設けられた鉄筋の配置目印（図示せず）に基づいて行われている。なお、スラブ下筋は補強リブ５の上に限らず、補強リブ５の近傍に配筋することもできる。
【０００９】
また長期荷重時のたわみに対しては、デッキプレート３とスラブ下筋７とが分担し、火災時にはスラブ下筋７が荷重を負担して所定の耐火性能が発揮できるように、スラブ下筋７は、一方向として十分な鉄筋量とし、かつデッキプレート３の厚さを0.8mmとして設計する。このようにデッキプレート３の鋼材が最下端に配置されるので、有効せいが確保でき、長期たわみの緩和に有効となる。
【００１０】
このためスラブは、周囲が各一対の短尺梁２と長尺梁６、すなわち４辺で支持された一枚板となって、スラブに作用する荷重が短尺梁２と直交する方向、および長尺梁６と直交する方向の二方向に流れる二方向スラブ１となる。
【００１１】
また補強リブ５は２５ｍｍ〜５０ｍｍの高さを備え、かつ２００ｍｍ間隔で形成されている。このため、従来の型枠における根太の設置を省略できるほか、支保工を必要最小限の本数にすることができる。
【００１２】
また図３および図４は、第２の実施の形態の二方向スラブ８を示したものである。この二方向スラブ８は、補強リブ５を５０ｍｍ〜１００ｍｍに広げて、下側に開口する野縁受設置用スペース９とし、ここに吊りボルト１０で野縁受け１１を取り付けたものであり、これ以外は第１の実施の形態の二方向スラブ１と同じ構成である。このようにスラブ８内に入り込んだ野縁受け１１に野縁１２が取り付けられて、天井ボード１３が設置されたことにより、コンパクトな天井１４になる。
【００１３】
したがって、図４の（１）および（２）に示すように、従来の二方向スラブ１５と同じ天井高さであっても、スラブ厚Ｈを大きくすることができるので、床衝撃音性能を高めることができる。なお、このようにスラブ厚Ｈを大きくせずに、従来のスラブ厚Ｈと同じにした場合は、大きな天井高さを確保することができる。
【００１４】
また図５は、第３の実施の形態の二方向スラブ１６を示したものである。この二方向スラブ１６は、スラブ下筋７をスペーサ１７を介して補強リブ５の上に配筋したものであり、これ以外は第１の実施の形態の二方向スラブ１と同じ構成である。このようにスラブ下筋７を浮かして配筋すると、耐久性および耐火性の向上を図ることができる。またスラブ内に配管１８があるときは、その先端部を補強リブ５の傾斜ウエブ１９に取り付けることができる。
【図面の簡単な説明】
【００１５】
【図１】第１の実施の形態の二方向スラブの一部切欠平面図である。
【図２】図１の断面図である。
【図３】第２の実施の形態の二方向スラブの断面図である。
【図４】（１）は第１の実施の形態の二方向スラブの断面図、（２）は従来の二方向スラブの断面図である。
【図５】第３の実施の形態の二方向スラブの断面図である。
【符号の説明】
【００１６】
１、８、１５、１６  二方向スラブ
２  短尺梁
３  デッキプレート
４  コンクリート
５  補強リブ
６  長尺梁
７  スラブ下筋
９  野縁受設置用スペース
１０  吊りボルト
１１  野縁受け
１２  野縁
１３  天井ボード
１４  天井
１７  スペーサー
１８  配管
１９  傾斜ウエブ
【図１】
2005325521.tif 000003
【図２】
2005325521.tif 000004
【図３】
2005325521.tif 000005
【図４】
2005325521.tif 000006
【図５】
2005325521.tif 000007